【手続補正書】
【提出日】平成18年9月8日(2006.9.8)
【手続補正１】
【補正対象書類名】特許請求の範囲
【補正対象項目名】全文
【補正方法】変更
【補正の内容】
【特許請求の範囲】
【請求項１】
ａ．複数のアンテナ中の対応するアンテナを通じて同時送信する複数のベースバンド送信信号中の対応する信号を高い周波数に変換する複数の送信器と、
ｂ．対応する複数のベースバンド受信信号を作るために前記複数のアンテナ中の対応するアンテナによって検出された複数の無線信号を低い周波数に変換する複数の受信器と、
ｃ．前記複数の送信器および前記複数の受信器に連結されたプロセッサであって、該プロセッサは、前記複数の送信器および前記複数の受信器の間の位相応答の差を補正する対応する補正値を用いて前記複数のベースバンド送信信号および／または前記複数のベースバンド受信信号を処理する、プロセッサと
を含むことを特徴とする無線装置。
【請求項２】
信号が前記複数の送信器によって送信される時および／または信号が前記複数の受信器によって受信される時に、（１）送信器への入力からそれに対応するアンテナの出力までの位相応答と、（２）そのアンテナの入力からそれに対応する受信器の出力までの位相応答との間の差が、前記複数のアンテナのそれぞれについて同一になるように、前記プロセッサは、対応する補正値を用いて前記複数のベースバンド送信信号および／または前記複数のベースバンド受信信号を処理することを特徴とする請求項１に記載のデバイス。
【請求項３】
前記プロセッサは、前記複数の送信器および前記複数の受信器の間の前記位相応答の差を測定し、前記位相応答の前記差から前記補正値を算出することを特徴とする請求項１に記載のデバイス。
【請求項４】
前記プロセッサは、前記複数の送信器および前記複数の受信器の間のブロードバンド位相オフセットを補正する対応する補正値を用いて前記複数のベースバンド送信信号および／または前記複数のベースバンド受信信号を処理することを特徴とする請求項３に記載のデバイス。
【請求項５】
前記プロセッサは、Ｎがアンテナの個数であるものとして、ｉ＝２〜Ｎについて、第１アンテナに関連する送信器への入力とアンテナｉに関連する受信器の出力の間の第１位相差と、アンテナｉに関連する送信器への入力と前記第１アンテナに関連する受信器の出力との間の第２位相差とを測定することを特徴とする請求項４に記載のデバイス。
【請求項６】
前記プロセッサは、信号が、前記第１アンテナに関連する前記送信器への入力に印加され、無線リンクまたはケーブル接続を介してアンテナｉに関連する前記受信器への受信入力として接続される時の第１位相差を測定し、信号が、アンテナｉに関連する前記送信器への入力に印加され、無線リンクまたはケーブル接続を介して前記第１アンテナに関連する前記受信器への受信入力として接続される時の第２位相差を測定することを特徴とする請求項５に記載のデバイス。
【請求項７】
前記プロセッサは、周波数ｆｋでの連続波トーンを表すデジタル信号として前記信号を生成し、前記プロセッサは、ベースバンド信号の帯域幅にまたがる複数の連続波トーン周波数ｆｋで前記第１位相差および前記第２位相差を測定することを特徴とする請求項６に記載のデバイス。
【請求項８】
前記プロセッサは、前記第１アンテナに関連する前記送信器に連結されたデジタル−アナログコンバータへの入力のデジタル信号とアンテナｉに関連する前記受信器の前記出力に連結されたアナログ−デジタルコンバータの出力のデジタル信号との間で前記第１位相差を測定し、アンテナｉに関連する前記送信器に連結されたデジタル−アナログコンバータへの入力のデジタル信号と前記第１アンテナに関連する前記受信器の前記出力に連結されたアナログ−デジタルコンバータの出力のデジタル信号との間で前記第２位相差を測定することを特徴とする請求項７に記載のデバイス。
【請求項９】
前記プロセッサは、アンテナｉ＝１〜Ｎに対応するアンテナパスのブロードバンド位相オフセットを、周波数ｆｋに関連する点｛（ｆｋ，Ψ１ｉ（ｋ）−Ψｉ１（ｋ））｝を通るあてはめられた直線のｙ切片から計算し、Ψ１ｉ（ｋ）は、周波数ｆｋで測定された前記第１位相差であり、Ψｉ１（ｋ）は、周波数ｆｋで測定された前記第２位相差であり、
前記第１アンテナに関連する前記アンテナパスの前記ブロードバンド位相オフセットは、０であることを特徴とする請求項７に記載のデバイス。
【請求項１０】
前記プロセッサは、前記対応するブロードバンド位相オフセットと等しい正味の位相オフセット補正を達成するために、対応するブロードバンド位相オフセット補正を用いて前記複数のベースバンド送信信号および／または前記複数のベースバンド受信信号を処理することを特徴とする請求項９に記載のデバイス。
【請求項１１】
前記プロセッサは、さらに、前記複数の送信器および前記複数の受信器の間の振幅オフセットを補正する対応する振幅オフセット補正値を用いて前記複数のベースバンド送信信号および／または前記複数のベースバンド受信信号を処理することを特徴とする請求項１０に記載のデバイス。
【請求項１２】
前記プロセッサは、ｉ＝２〜Ｎについて、連続波トーンが前記第１アンテナに関連する前記送信器の前記入力に印加される時にアンテナｉに関連する前記受信器の前記出力で信号の第１振幅を測定し、連続波トーンがアンテナｉに関連する前記送信器の前記入力に印加される時に前記第１アンテナに関連する前記受信器の前記出力で信号の第２振幅を測定することを特徴とする請求項１１に記載のデバイス。
【請求項１３】
前記プロセッサは、周波数ｆｋに関連する前記第１振幅と前記第２振幅との間の比の平均値から、ｉ＝１〜Ｎについて、前記対応するアンテナｉの前記アンテナパスの複数の振幅オフセットを計算し、前記第１アンテナに関連する前記アンテナパスの前記振幅オフセットは、１であることを特徴とする請求項１２に記載のデバイス。
【請求項１４】
前記プロセッサは、前記複数の送信器および前記複数の受信器が動作の無線周波数帯域内の複数の周波数チャネルのそれぞれに同調される時の位相応答の差を測定することを特徴とする請求項３に記載のデバイス。
【請求項１５】
前記プロセッサは、さらに、ベースバンド信号の帯域幅内の前記複数の送信器および前記複数の受信器の間の群遅延オフセットを補正する対応する群遅延補正値を用いて前記複数のベースバンド受信信号および／または前記複数のベースバンド送信信号を処理することを特徴とする請求項５に記載のデバイス。
【請求項１６】
前記プロセッサは、対応するアンテナｉ＝１〜Ｎの前記アンテナパスについて、周波数ｆｋでの前記第１位相差および前記第２位相差から複数の群遅延オフセットを計算し、前記第１アンテナに関連する前記アンテナパスの前記群遅延オフセットは０であることを特徴とする請求項１５に記載のデバイス。
【請求項１７】
前記プロセッサは、ｉ＝２〜Ｎについて、前記複数の周波数ｆｋに関連する点｛（ｆｋ，Ψ１ｉ（ｋ）−Ψｉ１（ｋ））｝を通るあてはめられた直線の傾斜−（１／２π）＊と等しい前記群遅延オフセットを計算し、Ψ１ｉ（ｋ）は、周波数ｆｋで測定された前記第１位相差であり、Ψｉ１（ｋ）は、周波数ｆｋで測定された前記第２位相差であることを特徴とする請求項１６に記載のデバイス。
【請求項１８】
前記プロセッサは、前記対応する群遅延オフセットと等しい正味の群遅延オフセット補正を達成する対応する群遅延補正値を用いて前記複数のベースバンド送信信号および／または前記複数のベースバンド受信信号を処理することを特徴とする請求項１７に記載のデバイス。
【請求項１９】
前記プロセッサは、オールパスフィルタプロセスを使用して前記群遅延補正値を実施することを特徴とする請求項１８に記載のデバイス。
【請求項２０】
前記複数のベースバンド送信信号および前記複数のベースバンド受信信号は、複数搬送波変調プロセスを使用して変調され、前記プロセッサは、前記複数搬送波変調プロセスに関連する複数の副搬送波ｋで位相オフセットを計算することを特徴とする請求項４に記載のデバイス。
【請求項２１】
前記プロセッサは、Ｎがアンテナの個数であるものとして、ｉ＝２〜Ｎについて、複数搬送波ベースバンド信号が前記第１アンテナに関連する前記送信器への入力に接続され、無線リンクまたはケーブル接続を介してアンテナｉに関連する前記受信器への受信入力として接続される時に各副搬送波ｋで第１位相差を測定し、複数搬送波信号がアンテナｉに関連する前記送信器への入力に接続され、無線リンクまたはケーブル接続を介して前記第１アンテナに関連する受信器への受信入力として接続される時に各副搬送波ｋで第２位相差を測定することを特徴とする請求項２０に記載のデバイス。
【請求項２２】
前記プロセッサは、ｉ＝２〜Ｎについて、行列ｄｉａｇ［ｃ１（ｋ），ｃ２（ｋ），．．．，
ｃＮ（ｋ）］と等しい正味の位相オフセット補正を達成する、副搬送波ｋごとの位相オフセット補正値を用いて前記複数のベースバンド送信信号および／または前記複数のベースバンド受信信号を処理し、ｃｉ（ｋ）＝ｅｘｐ（ｊ［Ψ１ｉ（ｋ）−Ψｉ１（ｋ）］）であり、
Ψ１ｉ（ｋ）は前記第１位相差であり、Ψｉ１（ｋ）は前記第２位相差であり、
ｃ１（ｋ）＝１であることを特徴とする請求項２１に記載のデバイス。
【請求項２３】
前記プロセッサは、ｉ＝２〜Ｎについて、複数搬送波ベースバンド信号が前記第１アンテナに関連する前記送信器への入力に印加され、無線リンクまたはケーブル接続を介してアンテナｉに関連する前記受信器への受信入力として接続される時に複数の副搬送波ｋで第１位相差を測定し、複数搬送波信号がアンテナｉに関連する前記送信器への入力に印加され、無線リンクまたはケーブル接続を介して前記第１アンテナに関連する受信器への受信入力として接続される時に複数の副搬送波ｋで第２位相差を測定することを特徴とする請求項２１に記載のデバイス。
【請求項２４】
前記プロセッサは、対応するアンテナｉ＝１〜Ｎのアンテナパスに関する位相オフセットを、複数の副搬送波ｋに関連する点｛（ｆｋ，Ψ１ｉ（ｋ）−Ψｉ１（ｋ））｝を通るあてはめられた直線のｙ切片から計算し、Ψ１ｉ（ｋ）は、副搬送波ｋで測定される前記第１位相差であり、Ψｉ１（ｋ）は、副搬送波ｋで測定される前記第２位相差であり、前記第１アンテナに関連する前記アンテナパスの前記位相オフセットは０であることを特徴とする請求項２３に記載のデバイス。
【請求項２５】
前記プロセッサは、前記対応する位相オフセットと等しい正味の位相オフセット補正を達成する対応する位相オフセット補正値を用いて前記複数のベースバンド送信信号および／または前記複数のベースバンド受信信号を処理することを特徴とする請求項２４に記載のデバイス。
【請求項２６】
前記プロセッサは、さらに、前記複数の送信器および前記複数の受信器の間の振幅オフセットを補正する対応する振幅オフセット補正値を用いて前記複数のベースバンド送信信号および／または前記複数のベースバンド受信信号を処理することを特徴とする請求項２５に記載のデバイス。
【請求項２７】
前記プロセッサは、ｉ＝２〜Ｎについて、複数搬送波信号が前記第１アンテナに関連する前記送信器の前記入力に印加される時に、前記複数の副搬送波ｋでアンテナｉに関連する前記受信器の前記出力で信号の第１振幅を測定し、前記複数搬送波信号がアンテナｉに関連する前記送信器の前記入力に印加される時に、前記複数の副搬送波ｋで前記第１アンテナに関連する前記受信器の前記出力で信号の第２振幅を測定することを特徴とする請求項２５に記載のデバイス。
【請求項２８】
前記プロセッサは、アンテナｉ＝１〜Ｎに対応するアンテナパスの振幅オフセットを、前記複数の副搬送波ｋにまたがる前記第１振幅と前記第２振幅との間の比の平均値から計算し、前記第１アンテナに関連する前記アンテナパスの前記振幅オフセットは１であることを特徴とする請求項２７に記載のデバイス。
【請求項２９】
前記プロセッサは、さらに、対応する振幅オフセットと等しい正味の振幅オフセット補正を達成する対応する振幅補正値を用いて前記複数のベースバンド送信信号および／または前記複数のベースバンド受信信号を処理することを特徴とする請求項１３または２８に記載のデバイス。
【請求項３０】
前記プロセッサは、さらに、前記複数の送信器および前記複数の受信器の間の振幅オフセットを補正する対応する振幅オフセット補正値を用いて前記複数のベースバンド送信信号および／または前記複数のベースバンド受信信号を処理することを特徴とする請求項２２に記載のデバイス。
【請求項３１】
前記プロセッサは、ｉ＝２〜Ｎについて、前記複数搬送波信号が前記第１アンテナに関連する前記受信器の前記入力に印加される時に、アンテナｉに関連する前記受信器の前記出力で各副搬送波ｋで信号の第１振幅を測定し、前記複数搬送波信号がアンテナｉに関連する前記送信器の前記入力に印加される時に、前記第１アンテナに関連する前記受信器の前記出力で各副搬送波ｋで信号の第２振幅を測定することを特徴とする請求項３０に記載のデバイス。
【請求項３２】
前記プロセッサは、アンテナｉ＝１〜Ｎに対応するアンテナパスの各副搬送波ｋでの振幅オフセットを、各副搬送波ｋでの前記第１振幅と前記第２振幅との間の比から計算し、前記第１アンテナに関連する前記アンテナパスの各副搬送波での前記振幅オフセットは、１であることを特徴とする請求項３１に記載のデバイス。
【請求項３３】
前記プロセッサは、さらに、対応する振幅オフセットと等しい正味の振幅オフセット補正を達成する、各副搬送波ｋでの対応する振幅オフセット補正値を用いて前記複数のベースバンド送信信号および／または前記複数のベースバンド受信信号を処理することを特徴とする請求項３２に記載のデバイス。
【請求項３４】
前記プロセッサは、前記複数のベースバンド送信信号を作るためのベースバンド変調および前記複数のベースバンド受信信号のベースバンド復調を実行するベースバンド信号プロセッサを含むことを特徴とする請求項１に記載のデバイス。
【請求項３５】
前記ベースバンド信号プロセッサは、デジタルロジックゲートによって実施されることを特徴とする請求項３４に記載のデバイス。
【請求項３６】
前記複数の送信器および前記複数の受信器は、単一の半導体集積回路上で実施されることを特徴とする請求項１に記載のデバイス。
【請求項３７】
対応するアンテナに関連する前記送信器および前記受信器によって共用される低域フィルタをさらに含むことを特徴とする請求項１に記載のデバイス。
【請求項３８】
前記プロセッサは、自己較正モード中に、オフセットを測定し、オフセットを補正するための補正値を算出し、前記プロセッサは、ランタイムモード中に、前記補正値を用いて前記複数のベースバンド送信信号および／または前記複数のベースバンド受信信号を処理することを特徴とする請求項１に記載のデバイス。
【請求項３９】
前記プロセッサは、デバイス電源投入時およびその後に周期的に、前記自己較正モードを実行することを特徴とする請求項３８に記載のデバイス。
【請求項４０】
前記複数の送信器の利得設定および／または前記複数の受信器の利得設定に従う補正値の調整を可能にする情報を保管するメモリをさらに含むことを特徴とする請求項１に記載のデバイス。
【請求項４１】
プロセッサは、位相応答のオフセットを測定し、利得依存補正値を算出し、前記プロセッサは、前記メモリに保管された前記情報を使用して前記利得設定に従って前記利得依存補正値を調整することを特徴とする請求項４０に記載のデバイス。
【請求項４２】
複数のアンテナ、対応する複数の受信器、および対応する複数の送信器を含む無線装置を較正する方法であって、
ａ．前記複数の送信器および前記複数の受信器の位相応答を測定するステップと、
ｂ．前記複数の送信器および前記複数の受信器の前記位相応答の差を補正するために複数の補正値を算出するステップと
を含むことを特徴とする方法。
【請求項４３】
前記計算するステップは、信号が前記複数の送信器によって送信される時および／または信号が前記複数の受信器によって受信される時に、（１）送信器への入力からそれに対応するアンテナの出力までの位相応答と、（２）そのアンテナの入力からそれに対応する受信器の出力までの位相応答との間の差が、前記複数のアンテナのそれぞれについて同一になるように、前記複数のベースバンド送信信号および／または前記複数のベースバンド受信信号を処理するのに使用される複数の補正値を算出することを含むことを特徴とする請求項４２に記載の方法。
【請求項４４】
前記計算するステップは、前記複数の送信器および前記複数の受信器の間のブロードバンド位相オフセットを計算することを含むことを特徴とする請求項４２に記載の方法。
【請求項４５】
測定する前記ステップは、Ｎがアンテナの個数であるものとして、ｉ＝２〜Ｎについて、第１アンテナに関連する送信器への入力とアンテナｉに関連する受信器の出力との間の第１位相差と、アンテナｉに関連する送信器への入力と前記第１アンテナに関連する受信器の出力との間の第２位相差とを測定することを含むことを特徴とする請求項４４に記載の方法。
【請求項４６】
測定する前記ステップは、信号が前記第１アンテナに関連する前記送信器への入力に印加され、無線リンクまたはケーブル接続を介してアンテナｉに関連する前記受信器に受信入力として接続される時に前記第１位相差を測定し、信号がアンテナｉに関連する前記送信器への入力に印加され、無線リンクまたはケーブル接続を介して前記第１アンテナに関連する前記受信器に受信入力として接続される時に前記第２位相差を測定することを特徴とする請求項４５に記載の方法。
【請求項４７】
前記第１位相差および前記第２位相差を測定する前記ステップは、ベースバンド信号の帯域幅にまたがる複数の周波数ｆｋで印加される連続波トーンについて繰り返されることを特徴とする請求項４６に記載の方法。
【請求項４８】
前記測定するステップは、前記第１アンテナに関連する前記送信器に連結されたデジタル−アナログコンバータへの入力のデジタル信号とアンテナｉに関連する前記受信器の前記出力に連結されたアナログ−デジタルコンバータの出力のデジタル信号との間で前記第１位相差を測定することと、アンテナｉに関連する前記送信器に連結されたデジタル−アナログコンバータへの入力のデジタル信号と前記第１アンテナに関連する前記受信器の前記出力に連結されたアナログ−デジタルコンバータの出力のデジタル信号との間で前記第２位相差を測定することとを含むことを特徴とする請求項４７に記載の方法。
【請求項４９】
計算する前記ステップは、アンテナｉ＝２〜Ｎに対応するアンテナパスのブロードバンド位相オフセット補正値を、周波数ｆｋに関連する点｛（ｆｋ，Ψ１ｉ（ｋ）−Ψｉ１（ｋ））｝を通るあてはめられた直線のｙ切片から計算することを含み、Ψ１ｉ（ｋ）は、周波数ｆｋで測定された前記第１位相差であり、Ψｉ１（ｋ）は、周波数ｆｋで測定された前記第２位相差であり、前記第１アンテナに関連する前記アンテナパスの前記ブロードバンド位相オフセット補正値は、０であることを特徴とする請求項４８に記載の方法。
【請求項５０】
測定する前記ステップは、前記複数の送信器および前記複数の受信器の間の振幅オフセットを測定することを含むことを特徴とする請求項４７に記載の方法。
【請求項５１】
測定する前記ステップは、ｉ＝２〜Ｎについて、連続波トーンが前記第１アンテナに関連する前記送信器の前記入力に印加される時にアンテナｉに関連する前記受信器の前記出力で信号の第１振幅を測定し、連続波トーンがアンテナｉに関連する前記送信器の前記入力に印加される時に前記第１アンテナに関連する前記受信器の前記出力で信号の第２振幅を測定することを含むことを特徴とする請求項５０に記載の方法。
【請求項５２】
計算する前記ステップは、アンテナｉ＝１〜Ｎに対応するアンテナパスの振幅オフセット補正値を、複数の周波数ｆｋに関連する前記第１振幅と前記第２振幅との比の平均値から計算することを含み、前記第１アンテナに関連する前記アンテナパスの前記振幅オフセット補正値は、１であることを特徴とする請求項５１に記載の方法。
【請求項５３】
測定する前記ステップは、前記複数の送信器および前記複数の受信器が、動作の無線周波数帯域内の複数の周波数チャネルのそれぞれに同調される時に、前記第１位相差および前記第２位相差を測定することを含むことを特徴とする請求項４２に記載の方法。
【請求項５４】
測定する前記ステップは、前記複数の送信器および前記複数の受信器の間の群遅延差を測定することを含むことを特徴とする請求項４７に記載の方法。
【請求項５５】
計算する前記ステップは、さらに、アンテナｉ＝１〜Ｎに対応するアンテナパスの複数の群遅延オフセット補正値を、前記第１位相差および前記第２位相差から計算することを含み、前記第１アンテナに関連する前記アンテナパスの前記群遅延オフセット補正値は、０であることを特徴とする請求項５４に記載の方法。
【請求項５６】
計算する前記ステップは、アンテナｉ＝２〜Ｎに対応するアンテナパスの前記複数の群遅延オフセット補正値を、前記複数の周波数ｆｋに関連する点｛（ｆｋ，Ψ１ｉ（ｋ）−Ψｉ１（ｋ））｝を通るあてはめられた直線の傾斜−（１／２π）＊から計算することを含み、
Ψ１ｉ（ｋ）は、周波数ｆｋで測定された前記第１位相差であり、Ψｉ１（ｋ）は、周波数ｆｋで測定された前記第２位相差であることを特徴とする請求項５５に記載の方法。
【請求項５７】
測定する前記ステップは、複数搬送波ベースバンド変調プロセスに関連する副搬送波ｋで、複数搬送波ベースバンド信号が前記第１アンテナに関連する前記送信器の入力に印加され、無線リンクまたはケーブル接続を介してアンテナｉに関連する受信器への受信入力に接続される時に前記第１位相差を測定することと、各副搬送波ｋで、複数搬送波信号がアンテナｉに関連する前記送信器の入力に印加され、無線リンクまたはケーブル接続を介して前記第１アンテナに関連する受信器への受信入力に接続される時に前記第２位相差を測定することとを含むことを特徴とする請求項４５に記載の方法。
【請求項５８】
計算する前記ステップは、Ｎがアンテナの個数であるものとして、ｉ＝２〜Ｎについて、各副搬送波ｋの対角補正行列ｄｉａｇ［ｃ１（ｋ），ｃ２（ｋ），．．．，ｃＮ（ｋ）］を計算することを含み、ｃｉ（ｋ）＝ｅｘｐ（ｊ［Ψ１ｉ（ｋ）−Ψｉ１（ｋ）］）であり、Ψ１ｉ（ｋ）は、第１送信器への入力と受信器ｉの出力との間の副搬送波ｋでの第１位相差であり、Ψｉ１（ｋ）は、送信器ｉへの入力と第１受信器の出力との間の副搬送波ｋでの第２位相差であり、ｃ１（ｋ）＝１であることを特徴とする請求項５７に記載の方法。
【請求項５９】
計算する前記ステップは、アンテナｉ＝２〜Ｎに対応するアンテナパスのブロードバンド位相オフセットを、複数の副搬送波ｋに関連する点｛（ｆｋ，Ψ１ｉ（ｋ）−Ψｉ１（ｋ））｝を通るあてはめられた直線のｙ切片から計算することを含み、Ψ１ｉ（ｋ）は、副搬送波ｋで測定された前記第１位相差であり、Ψｉ１（ｋ）は、副搬送波ｋで測定された前記第２位相差であり、前記第１アンテナに関連する前記アンテナパスの前記ブロードバンド位相オフセットは、０であることを特徴とする請求項５７に記載の方法。
【請求項６０】
測定する前記ステップは、さらに、前記複数搬送波信号が前記第１アンテナに関連する前記送信器の前記入力に印加される時に、アンテナｉに関連する前記受信器の前記出力で副搬送波ｋでの信号の第１振幅を測定することと、前記複数搬送波信号がアンテナｉに関連する前記送信器の前記入力に印加される時に、前記第１アンテナに関連する前記受信器の前記出力で副搬送波ｋでの信号の第２振幅を測定することを含むことを特徴とする請求項５７に記載の方法。
【請求項６１】
計算する前記ステップは、アンテナｉ＝１〜Ｎに対応するアンテナパスの振幅オフセット補正値を、各副搬送波ｋでの前記第１振幅と前記第２振幅との比から計算することを含み、前記第１アンテナに関連する前記アンテナパスの前記振幅オフセット補正値は、１であることを特徴とする請求項６０に記載の方法。
【請求項６２】
計算する前記ステップは、アンテナｉ＝１〜Ｎに対応するアンテナパスの振幅オフセット補正値を、複数の副搬送波ｋにまたがる前記第１振幅と前記第２振幅との間の比の平均値から計算することを含み、前記第１アンテナに関連する前記アンテナパスの前記振幅オフセット補正値は、１であることを特徴とする請求項６０に記載の方法。
【請求項６３】
第１無線装置と第２無線装置との間の無線通信の方法であって、前記第１無線装置は、複数のアンテナ、対応する複数の送信器、および対応する複数の受信器を含み、前記第１無線装置での前記方法は、前記第１無線装置の前記複数の送信器および前記複数の受信器の位相応答の差を補正する対応する補正値を用いて送信される複数のベースバンド送信信号および／またはベースバンド受信信号を処理するステップを含むことを特徴とする方法。
【請求項６４】
処理する前記ステップは、信号が前記複数の送信器によって送信される時および／または信号が前記複数の受信器によって受信される時に、（１）送信器への入力からそれに対応するアンテナの出力までの位相応答と、（２）そのアンテナの入力からそれに対応する受信器の出力までの位相応答との間の差が、前記複数のアンテナのそれぞれについて同一になるように、対応する補正値を用いて前記複数のベースバンド送信信号および／または前記複数のベースバンド受信信号を処理することを含むことを特徴とする請求項６３に記載の方法。
【請求項６５】
前記第２無線装置で、前記第２無線装置の複数の送信器および複数の受信器の間の位相応答の差を補正する対応する補正値を用いて、複数のアンテナ中の対応するアンテナを介して送信される複数のベースバンド送信信号および／または前記複数のアンテナ中の対応するアンテナによって受信された信号から導出される複数のベースバンド受信信号を処理するステップをさらに含むことを特徴とする請求項６３に記載の方法。
【請求項６６】
ａ．前記複数の送信器および前記複数の受信器の位相応答を測定するステップと、
ｂ．前記複数の送信器および前記複数の受信器の位相応答の差を補正する前記補正値を算出するステップと
をさらに含むことを特徴とする請求項６３に記載の方法。
【請求項６７】
複数のアンテナ、対応する複数の送信器、および対応する複数の受信器を有する無線装置の特性を測定する方法であって、
ａ．対応する第１アンテナを介する送信のために第１送信器に信号を接続するステップと、
ｂ．第２アンテナに関連する受信器を用いて前記信号を受信するステップと
を含むことを特徴とする方法。
【請求項６８】
前記第１送信器への入力として連結された前記信号と前記第２アンテナに関連する前記受信器によって出力される信号との間の位相差を測定するステップをさらに含むことを特徴とする請求項６７に記載の方法。
【請求項６９】
受信する前記ステップは、さらに、前記第１アンテナを介して送信される前記信号を受信する時に、前記第２アンテナに関連する前記受信器内の増幅器の利得を下げることを含むことを特徴とする請求項６７に記載の方法。